(57)【要約】【課題】  コンパクトで設置性のよい衣類乾燥機を提供すること。【解決手段】  衣類収納容器５、圧縮機１２、蒸発器１１、凝縮器１０及びファン９を有し、筐体１に設けた吸気口２から外部の空気を取り入れて蒸発器１１を通過させたのち外部に排気する流路と、筐体１外部の空気を取り入れて凝縮器１０を通過させ衣類収納容器５に温風を供給する流路とを有する衣類乾燥機であって、衣類収納容器５、圧縮機１２、蒸発器１１、凝縮器１０及びファン９を同一筐体１内に収容した。【選択図】図３
2005065925.tif 000002
【特許請求の範囲】
【請求項１】
衣類収納容器、圧縮機、蒸発器、凝縮器及びファンを有し、筐体に設けた吸気口から外部の空気を取り入れて前記蒸発器を通過させたのち外部に排気する流路と、前記筐体外部の空気を取り入れて前記凝縮器を通過させ前記衣類収納容器に温風を供給する流路とを有する衣類乾燥機であって、
前記衣類収納容器、圧縮機、蒸発器、凝縮器及びファンを同一筐体内に収容したことを特徴とする衣類乾燥機。
【請求項２】
筐体内に衣類収納容器、圧縮機、蒸発器、凝縮器、ファン及びチャンバーが設けられた衣類乾燥機であって、
前記チャンバーに外部に連通するチャンバー吸気口と、前記衣類収納容器に連通する第１の排気口及び外部に開口する第２の排気口とを設け、
前記チャンバー内において前記チャンバー吸気口に対向してファンを設けると共に、前記第１の排気口の近傍に凝縮器を設け、前記第２の排気口の近傍に蒸発器を設けたことを特徴とする衣類乾燥機。
【請求項３】
前記衣類収納容器は垂直方向に設置されて上部に衣類を出し入れする開口部を有し、前記凝縮器を通過した温風を前記衣類収納容器の上方に形成された空間部に供給することを特徴とする請求項２記載の衣類乾燥機。
【請求項４】
前記衣類収納容器は水平方向に設置されて一方の側に衣類を出し入れする開口部が設けられ、他方の側に通気口が設けられており、前記凝縮器を通過した温風を前記衣類収納容器の開口部側に形成された空間部に供給することを特徴とする請求項２記載の衣類乾燥機。
【請求項５】
前記蒸発器を通過した空気を排気する第２の排気口を、前記筐体の前面に設けたことを特徴とする請求項２又は３記載の衣類乾燥機。
【請求項６】
前記蒸発器を通過した空気を排気する第２の排気口を、前記筐体の上面に設けたことを特徴とする請求項２又は４記載の衣類乾燥機。
【請求項７】
筐体内に、衣類収納容器、圧縮機及びチャンバーを設け、該チャンバー内に蒸発器、凝縮器及びファンを設置した衣類乾燥機であって、
前記衣類収納容器からの排気と、前記蒸発器を通過した空気とを前記筐体内で混合させて外部に排出するようにしたことを特徴とする衣類乾燥機。
【請求項８】
前記筐体の少なくとも一方の側面を円弧状の曲面で形成し、該曲面の最突部以外の側面に吸気口を設けたことを特徴とする請求項１〜７のいずれかに記載の衣類乾燥機。
【発明の詳細な説明】
【技術分野】
【０００１】
本発明は、衣類乾燥機に係り、さらに詳しくは、ヒートポンプ機構を用いて外部の熱を吸収し、この熱を衣類を乾燥させる温風の加熱に利用した衣類乾燥機に関するものである。
【背景技術】
【０００２】
従来のこの種の乾燥装置に、圧縮機や室外熱交換器が収納されて室外に設置された室外機と、この室外機と冷媒配管によって接続され、室内に設置された乾燥室とからなり、外部の熱を吸収して乾燥室内に供給する温風の加熱に使用するようにしたヒートポンプ式乾燥装置がある（例えば、特許文献１参照）。
【特許文献１】特開平１−２３０３９６号公報（第４〜５頁、図２〜３）
【発明の開示】
【発明が解決しようとする課題】
【０００３】
特許文献１に記載されたヒートポンプ式乾燥装置は、熱を吸収する室外機と乾燥室とが離れた場所にあり、両者の間を冷媒配管で接続しているので装置が大型になるばかりでなく構造が複雑になるため、設置に広いスペースを必要とし、また、設置にあたっては冷媒配管等の専門工事が必要であり、設置費用が高額になる等、種々問題があった。
【０００４】
本発明は、上記の課題を解決するためになされたもので、コンパクトで設置性のよい衣類乾燥機を提供することを目的としたものである。
【課題を解決するための手段】
【０００５】
本発明は、衣類収納容器、圧縮機、蒸発器、凝縮器及びファンを有し、筐体に設けた吸気口から外部の空気を取り入れて前記蒸発器を通過させたのち外部に排気する流路と、前記筐体外部の空気を取り入れて前記凝縮器を通過させ前記衣類収納容器に温風を供給する流路とを有する衣類乾燥機であって、前記衣類収納容器、圧縮機、蒸発器、凝縮器及びファンを同一筐体内に収容したものである。
【発明の効果】
【０００６】
本発明は、衣類収納容器、圧縮機、蒸発器、凝縮器及びファンを同一筐体内に収容したので、コンパクトで設置性のよい衣類乾燥機を得ることができる。
【発明を実施するための最良の形態】
【０００７】
［実施の形態１］
図１は本発明の実施の形態１に係る衣類乾燥機の外観図、図２は図１のＡ−Ａ断面図である。
図１において、筐体１には、側面に吸気口２、上面に排気口３、前面に排気口４がそれぞれ設けられている。また、内部には、上部に開口部５ａを有し、垂直軸により回転自在に支持された有底円筒状の衣類収納容器であるドラム５が設けられている。なお、図示してないが、筐体１の上面側は開閉しうるようになっている。
【０００８】
筐体１の吸気口２側において筐体１内に設けたチャンバー６には、吸気口２に連通するチャンバー吸気口（図示せず）、ドラム５の上部開口部５ａに連通する温風排気口７、及び排気口４に連通する冷風排気口８が設けられている。また、チャンバー６の内部には、チャンバー吸気口に対向してファン９が設けられており、温風排気口７の近傍に凝縮器１０が、冷風排気口８の近傍に蒸発器１１が設けられている。
また、筐体１内には圧縮機１２が設けられており、この圧縮機１２から凝縮器１０、膨張弁（図示せず）、蒸発器１１、そして再び圧縮機１２に戻る配管（図示せず）によって接続され、ヒートポンプ機構を構成している（以下の実施の形態においても同様である）。
【０００９】
次に、上記のように構成した衣類乾燥機の作用を、図３により説明する。
ドラム５内に被乾燥物である衣類（図示せず）を投入し、ファン９及び圧縮機１２を駆動する。ファン９の駆動により、矢印２０で示すように、外部空気が吸気口２及びチャンバー吸気口を通り、チャンバー６の内部に取込まれる。これにより、チャンバー６内の空気圧が上昇し、この圧力がチャンバー６の開口部である温風排気口７や冷風排気口８から空気を流出する駆動力になる。
【００１０】
冷風排気口８の近傍に設置された蒸発器１１は、膨張弁を通過して低温になった冷媒が供給されて低温状態になっているため、冷風排気口８から流出する空気は蒸発器１１によって熱量を吸収され、冷風となって排気口４から外部へ放出される。
一方、温風排気口７の近傍に設置された凝縮器１０には、蒸発器１１で吸収した熱量と、圧縮機１２の駆動によって高温になった冷媒とが供給されて高温状態になっているため、温風排気口７から流出する空気は加熱され、温風２１となってドラム５の上部開口部５ａと筐体１の上面との間に形成された空間部（以下、上方空間部という）へ供給される。
【００１１】
ドラム５の上方空間部に流入した温風２１は、ドラム５の上部開口部５ａからドラム５内に供給され、ドラム５内に収納された衣類に接触して衣類の水分を蒸発させ、乾燥させる。ドラム５の上方空間部に流入した温風２１をドラム５内に導く駆動力としては、ドラム５の回転による吸込み効果によって得られるが、必要に応じて温風２１の向きをドラム５内に向ける送風ガイドを設けるなどの手段を講じてもよい。
ドラム５内に収納された衣類を乾燥させて湿気を含んだドラム排気２３は、排気口３から筐体１の外部に放出される。
上記のような一連の動作及び空気の流れにより、衣類の乾燥運転が行われる。
【００１２】
上記のように構成した衣類乾燥機においては、衣類を収納するドラム５、圧縮機１２、凝縮器１０、蒸発器１１及びファン９を同じ筐体１内に設置しているためコンパクトであり、このため狭いスペースに設置することができるばかりでなく、設置時に冷媒配管等の工事が不要なので、設置性のよい衣類乾燥機を実現することができる。
また、チャンバー吸気口に対向してファン９を設け、２つの排気口７，８の開口部の近傍にそれぞれ凝縮器１０と蒸発器１１を設けたので、１台のファン９で凝縮器１０と蒸発器１１の両者に送風することができ、両者に対してそれぞれ別個のファンを設ける必要がなく、構造が簡単でコンパクトかつ安価な衣類乾燥機を実現することができる。
【００１３】
さらに、衣類を収納するドラム５の上部開口部５ａの上方に形成された上方空間部に、凝縮器１０を通過した温風を供給するようにしたので、ダクトを接続してドラム内に温風を供給する場合に比べて風路抵抗が小さく、そのため、ファン９の大きさを小さくすることができ、これによっても衣類乾燥機をコンパクトにすることができる。
【００１４】
また、機体の設置にあたっては、筐体１の前面は操作者の作業スペースとして通常充分な空間が設けられているが、筐体１の背面や側面は、設置する部屋の壁面が存在する場合が多い。本実施の形態においては蒸発器１１を通過した冷風を、筐体１の前面に設けた排気口４から排気するようにしたので、排気口を背面や側面に設けた場合に比べて排気の障害となるものがなく、風路抵抗が小さくなる。そのため、ファン９の大きさを小さくすることができ、衣類乾燥機のコンパクト化に寄与することができる。
【００１５】
［実施の形態２］
図４は本発明の実施の形態２に係る衣類乾燥機の外観図、図５は内部構成を含む作用説明図である。なお、実施の形態１と同じ部分にはこれと同じ符号が付してある。
筐体１の側面には吸気口２が、また、上面には排気口３，４が設けられており、内部には前面側（図の手前側）に開口部５ａを有し、後面側に通気部５ｂが設けられ、水平軸により回転自在に支持された円筒状のドラム５が設けられている。
チャンバー６には、ドラム５の開口部５ａと筐体１の前面との間に形成された前方空間部に連通する温風排気口７が設けられており、また、上面の排気口４に連通する冷風排気口８が設けられている。そして、チャンバー６内には温風排気口７の近傍に凝縮器１０が設置され、冷風排気口８に面して蒸発器１１が設けられている。なお、図示してないが、筐体１の前面側は開閉しうるようになっている。
【００１６】
上記のように構成した本実施の形態の衣類乾燥機において、乾燥運転を開始してファン９及び圧縮機１２が駆動されると、冷風排気口８から流出する空気は、蒸発器１１により熱量を吸収され、冷風２２となって排気口４から外部へ放出される。
また、凝縮器１０によって加熱された温風２１は、ドラム５の前面側の開口部５ａからドラム５内に供給され、収納された衣類と接触してこれを乾燥させ、湿気を含んだドラム排気２３は後面側の通気部５ｂを通って筐体１の上部の排気口３から外部に排気される。
【００１７】
本実施の形態においては、蒸発器１１を通過した冷風２２及び衣類乾燥後のドラム排気２３を、筐体１の上面に設けた排気口３，４から排出するようにしている。機体の設置において、筐体１の上面は通常設置された部屋の天井まで十分な空間があり、一方、筐体１の背面や側面は、設置する部屋の壁面が存在することが多い。したがって、筐体１の上面に排気口３，４を設けた場合は、背面や側面に排気口を設けた場合に比べて排気の障害となるものがないため、風路抵抗が小さくなる。そのため、ファン９の大きさを小さくすることができるので、コンパクトな衣類乾燥機を実現することができる。
【００１８】
［実施の形態３］
図６は本発明の実施の形態３に係る衣類乾燥機の外観図、図７は内部構成を含む作用説明図である。なお、実施の形態１と同じ部分にはこれと同じ符号が付してある。
筐体１の側面には吸気口２が、また、前面下部には排気口３が設けられており、内部には上面に開口部５ａが設けられ、垂直軸により回転自在に支持された有底円筒状のドラム５が設けられている。
チャンバー６には、ドラム５の上方空間部に連通する温風排気口７が設けられており、また、下部にはドラム５の下方空間部に連通する冷風排気口８が設けられている。そして、チャンバー６内には、温風排気口７の近傍に凝縮器１０が、冷風排気口８の近傍に蒸発器１１がそれぞれ設けられている。
【００１９】
上記のように構成した本実施の形態の衣類乾燥機において、乾燥運転を開始してファン９及び圧縮機１２が駆動されると、冷風排気口８から流出する空気は蒸発器１１により熱量を吸収され、冷風２２となって筐体１内のドラム５の下方空間部に供給される。
また、凝縮器１０によって加熱された温風２１は、ドラム５の上方空間部から開口部５ａを介してドラム５内に供給され、ドラム５内に収納された衣類と接触して乾燥させる。衣類を乾燥した温風２１は湿気を含んだドラム排気２３となり、筐体１内を通ってドラム５の下方空間部に至る。
【００２０】
ドラム５の下方空間部では、湿気を含んだドラム排気２３と、温度の低い冷風２２が混合し、混合排気２４となる。ドラム排気２３に含まれていた湿気は冷風２２との混合により温度が下り、水分が結露する。混合排気２４は、結露により湿気がドラム排気２３より少なくなった状態で、排気口３から外部に放出されるので、操作者の不快感をなくすことができる。なお、排気口３を筐体１の前面に設けた場合を示したが、上面に設けてもよい。また、筐体１の下面に排気口３を設け、筐体１の下面と床面との間に形成された隙間空間から周囲に放出するようにしてもよい。
【００２１】
［実施の形態４］
図８は本発明の実施の形態４に係る衣類乾燥機の外観図、図９は図８のＢ−Ｂ断面図である。なお、実施の形態１と同じ部分にはこれと同じ符号が付してある。
筐体１は少なくとも一方の側面が円弧状の曲面で形成されており、その最突部以外の側面に複数の吸気口３１が設けられている。また、前面の下部には排気口３が設けられており、チャンバー６のファン９と対向する位置には、チャンバー吸気口３２が設けられている。なお、筐体１内に設けたドラム５及び圧縮機１２、チャンバー６に設けた温風排気口７及び冷風排気口８、チャンバー６内に設けた凝縮器１０及び蒸発器１１の構成、配置は、図示してないが実施の形態３と同じなので説明を省略する。
【００２２】
上記のように構成した本実施の形態の衣類乾燥機において、図９は機体を筐体１の背面及び曲面状の側面を部屋の壁面４０と近接して設置した場合が示してある。
乾燥運転を開始してファン９及び圧縮機１２が駆動されると、外部空気２０が吸気口３１及びチャンバー吸気口３２を介してチャンバー６内に取り込まれる。このとき、吸気口３１は筐体１の曲面状の側面と壁面４０との間に形成された隙間空間４１に面しているため、外部空気２０は筐体１の前方や上方からこの隙間空間４１に至る風路を経て吸気口３１からチャンバー６内に流入する。
以下、温風の発生や衣類の乾燥、排気の作用は実施の形態３の場合と同様なので、説明を省略する。
【００２３】
本実施の形態によれば、機体を部屋の壁の近傍に設置した場合においても、給気のための風路を十分にとることができるので、風路抵抗を小さくすることができる。そのため、ファンの大きさを小さくすることができ、衣類乾燥機をコンパクトに構成することができる。なお、本実施の形態は、前述した各実施の形態においても実施することができる。
【図面の簡単な説明】
【００２４】
【図１】本発明の実施の形態１に係る衣類乾燥機の外観図である。
【図２】図１のＡ−Ａ断面図である。
【図３】実施の形態１の内部構成を含む作用説明図である。
【図４】本発明の実施の形態２に係る衣類乾燥機の外観図である。
【図５】実施の形態２の内部構成を含む作用説明図である。
【図６】本発明の実施の形態３に係る衣類乾燥機の外観図である。
【図７】実施の形態３の内部構成を含む作用説明図である。
【図８】本発明の実施の形態４に係る衣類乾燥機の外観図である。
【図９】図８のＢ−Ｂ断面図である。
【符号の説明】
【００２５】
１  筐体、２，３１  吸気口、３，４  排気口、５  ドラム（衣類収納容器）、５ａ  開口部、６  チャンバー、７  温風排気口、８  冷風排気口、９  ファン、１０  凝縮器、１１  蒸発器、１２  圧縮機、４０  壁面、４１  隙間空間。
【図１】
2005065925.tif 000003
【図２】
2005065925.tif 000004
【図３】
2005065925.tif 000005
【図４】
2005065925.tif 000006
【図５】
2005065925.tif 000007
【図６】
2005065925.tif 000008
【図７】
2005065925.tif 000009
【図８】
2005065925.tif 000010
【図９】
2005065925.tif 000011